(57)【要約】      （修正有）【課題】多段基礎の最上段に位置する立ち上り部の型枠を高い位置精度の下で支持することができ、基礎を形成するコンクリート内に水道が形成されることを解消でき、型枠の製作費用が高価になることを解消できる多段基礎形成型枠の段積み用パネルと、この段積み用パネルが適用された多段基礎形成型枠を提供する。【解決手段】第一基礎と、第一基礎よりも幅の狭い第二基礎とが積層してなる多段基礎を形成するための多段基礎形成型枠１００に適用される段積み用パネル５０であって、第一型枠１０の上端に固定されて第二型枠２０の下端まで延設する上方水平片５１と、上方水平片５１の端部が屈曲して鉛直下方に延設する鉛直片５２と、鉛直片５２の端部が屈曲して第一型枠１０に延設する下方水平片５３とを有し、断面形状が略コの字状を呈している。【選択図】図４
2020051201.tif 000002
【特許請求の範囲】
【請求項１】
第一基礎と、該第一基礎よりも幅の狭い第二基礎とが積層してなる多段基礎を形成するための型枠に適用される段積み用パネルであって、
前記第一基礎用の第一型枠と、前記第一型枠から平面的に離れた位置にある前記第二基礎用の第二型枠があり、
前記段積み用パネルは、
前記第一型枠の上端に固定されて前記第二型枠の下端まで延設する上方水平片と、
前記上方水平片の端部が屈曲して鉛直下方に延設する鉛直片と、
前記鉛直片の端部が屈曲して前記第一型枠に延設する下方水平片と、を有し、
断面形状が略コの字状を呈していることを特徴とする、多段基礎形成型枠の段積み用パネル。
【請求項２】
前記下方水平片の端部が鉛直方向に屈曲してリップを有し、該リップが前記第一型枠に当接されるようになっていることを特徴とする、請求項１に記載の多段基礎形成型枠の段積み用パネル。
【請求項３】
前記上方水平片に巾止め金具設置用開口が開設されていることを特徴とする、請求項１又は２に記載の多段基礎形成型枠の段積み用パネル。
【請求項４】
前記下方水平片において、空気抜き用で、かつセメント系材料充填確認用の多目的孔が開設されていることを特徴とする、請求項１乃至３のいずれか一項に記載の多段基礎形成型枠の段積み用パネル。
【請求項５】
第一基礎と、該第一基礎よりも幅の狭い第二基礎とが積層してなる多段基礎を形成するための型枠であって、
前記第一基礎用の第一型枠と、
前記第一型枠から平面的に離れた位置にある前記第二基礎用の第二型枠と、
請求項１乃至４のいずれか一項に記載の段積み用パネルと、を有することを特徴とする、多段基礎形成型枠。
【請求項６】
一対の前記第一型枠の内側の上方位置に一対の前記第二型枠が配設され、
対応する前記第一型枠と前記第二型枠を、巾止め金具設置用開口を有する前記段積み用パネルが繋ぎ、
一対の前記段積み用パネルの有する前記巾止め金具設置用開口に巾止め金具が係合されていることを特徴とする、請求項５に記載の多段基礎形成型枠。
【発明の詳細な説明】
【技術分野】
【０００１】
本発明は、多段基礎形成型枠の段積み用パネル及び多段基礎形成型枠に関する。
【背景技術】
【０００２】
例えばビルドインガレージの開口部の基礎など、地中梁と基礎の立ち上り部のコンクリートを一体で打設する場合に、立ち上り部の型枠（以下、立ち上り部用型枠とも言う）を浮かせて設置する必要がある。ここで、図１（ａ）にビルドインガレージの基礎の平面図を示し、図１（ｂ）、（ｃ）にそれぞれ、図１（ａ）のｂ−ｂ矢視図である縦断面図、図１（ａ）のｃ−ｃ矢視図である縦断面図を示す。
【０００３】
図１（ａ）に示すビルドインガレージは平面視矩形の線形を有し、一つの辺の中央に車両が出入りするための開口部を有している。基礎の一般部は、図１（ｂ）に示すようにフーチング（ベース）と立ち上り部とにより構成される布基礎であるが、開口部は布基礎の立ち上り部による連続性が遮断されるとともに車両の重量に抗する必要があることから、図１（ｃ）に示すようにフーチングと地中梁を一体とした構造が一般に適用される。尚、地中梁の天端の１０乃至２０ｃｍ程度上に地盤レベル（Ｇ．Ｌ．）が設定される。
【０００４】
ここで、図２及び図３を参照して、従来のビルドインガレージの開口部の基礎を形成する型枠について説明する。図１（ｃ）に示すように、ビルドインガレージの開口部の端部近傍の基礎は、フーチング、地中梁、及び立ち上り部の順に幅が狭くなる多段基礎（二段の基礎）である。尚、本明細書において、図１（ｂ）に示す一般的な布基礎（フーチングと立ち上り部の幅が異なる一段の基礎）も多段基礎に含めるものとする。ビルドインガレージの開口部の端部近傍の基礎が例えば二段の多段基礎であることから、上記するように地中梁と立ち上り部のコンクリートを一体で打設する場合に、立ち上り部用型枠を浮かせて設置する必要がある。
【０００５】
図２に示す第１従来例に係る多段基礎形成型枠は、立ち上り部用型枠を固定するための型枠支持金具を地中梁用鉄筋の天端位置に設置し、型枠支持金具の一部を地中梁用鉄筋に固定して控えを取る形態の型枠である。さらに、この形態の型枠では、立ち上り部用型枠の下端がフレッシュコンクリートの側圧により側方に開かないように、対向する立ち上り部用型枠同士を繋ぐ巾止め金具を立ち上り部を貫通するようにして地中梁の天端位置に設置する。尚、地中梁用型枠も、フーチング用型枠に対して浮かせて設置する必要があるが、ここには、一般に市販されている低背の型枠支持スペーサーが捨コン等の基盤上に設置され、この型枠支持金具に地中梁用型枠が支持されることになる。
【０００６】
一方、図３に示す第２従来例に係る多段基礎形成型枠は、立ち上り部用型枠を支持しながら、さらにその下端がフレッシュコンクリートの側圧により側方に開くことを防止するための高背の型枠支持スペーサーを捨コン等の基盤上に設置し、この高背の型枠支持スペーサーに立ち上り部用型枠を固定する形態の型枠である。
【０００７】
また、上記する第１従来例に係る多段基礎形成型枠に適用される巾止め金具に相当する部材を用いて、布基礎の立ち上り部の変化に対応可能とした型枠パネルの支持構造も提案されている。布基礎や地中梁等の構造部材を形成する型枠パネルの支持構造に関し、構造部材の下部形状に合わせて屈曲成型された屈曲パネルと、屈曲パネルの上端に順次積層される単数もしくは複数の平板パネルと、屈曲パネルと平板パネルの間及び平板パネル同士の間に設けられてパネル同士を連結する連結具とを有する。屈曲パネル及び平板パネルにおいて連結具が取り付けられる位置に、連結具を係合させる係合部が設けられている（例えば、特許文献１参照）。
【先行技術文献】
【特許文献】
【０００８】
【特許文献１】特開平１０−５４０４１号公報
【発明の概要】
【発明が解決しようとする課題】
【０００９】
しかしながら、第１従来例に係る多段基礎形成型枠では、立ち上り部用型枠を固定するための型枠支持金具を地中梁用鉄筋に固定して控えを取っているが、地中梁用鉄筋の位置精度は一般に高いとは言い難いことから、地中梁用鉄筋の位置精度の低さが立ち上り部用型枠の位置精度に影響を及ぼすことになる。
【００１０】
さらに、第１従来例に係る多段基礎形成型枠では、立ち上り部用型枠同士を繋ぐ巾止め金具を立ち上り部を貫通するようにして地中梁の天端位置に設置しているが、施工されたコンクリートとこのコンクリートに埋設されている巾止め金具の間の隙間に水道が形成され易くなる。
【００１１】
上記するように、地中梁の天端上に地盤レベルが存在することから、形成された水道を介して地下水がビルドインガレージ内に浸入することが懸念される。そして、特許文献１に記載の型枠パネルの支持構造においても、第１従来例に係る多段基礎形成型枠に適用される巾止め金具に相当する連結具を用いてパネル同士を連結することから、同様に水道を介した地下水の浸入の可能性を内包する。
【００１２】
一方、第２従来例に係る多段基礎形成型枠では、高背の型枠支持スペーサーを用いて立ち上り部用型枠を固定することから、規模の大きな型枠支持スペーサーの製作費用は自ずと高くなり、このことが基礎施工費用の増加に繋がり得る。
【００１３】
本発明は上記する問題に鑑みてなされたものであり、多段基礎の最上段に位置する立ち上り部の型枠を高い位置精度の下で支持することができ、多段基礎の段差箇所に水道が形成されることを解消でき、型枠の製作費用が高価になることを解消できる多段基礎形成型枠の段積み用パネルと、この段積み用パネルが適用された多段基礎形成型枠を提供することを目的としている。
【課題を解決するための手段】
【００１４】
前記目的を達成すべく、本発明による多段基礎形成型枠の段積み用パネルの一態様は、
第一基礎と、該第一基礎よりも幅の狭い第二基礎とが積層してなる多段基礎を形成するための型枠に適用される段積み用パネルであって、
前記第一基礎用の第一型枠と、前記第一型枠から平面的に離れた位置にある前記第二基礎用の第二型枠があり、
前記段積み用パネルは、
前記第一型枠の上端に固定されて前記第二型枠の下端まで延設する上方水平片と、
前記上方水平片の端部が屈曲して鉛直下方に延設する鉛直片と、
前記鉛直片の端部が屈曲して前記第一型枠に延設する下方水平片と、を有し、
断面形状が略コの字状を呈していることを特徴とする。
【００１５】
本態様によれば、第一基礎用の第一型枠の上端と、第一型枠から平面的に離れた位置にある第二基礎用の第二型枠の下端が段積み用パネルの上方水平片により繋がれ、段積み用パネルの下方水平片が第一型枠まで延設してここに支持されることにより、第二型枠を基礎用の鉄筋に固定して控えを取ることを不要とし、高背の型枠支持スペーサーを不要としながら、精度よく、安価に多段基礎を形成することができる。ここで、第一型枠は、例えば上記するビルドインガレージの開口部の基礎における地中梁用型枠であり、第二型枠は、例えば地中梁用型枠の上に配設される立ち上り部用型枠である。尚、本態様の段積み用パネルが適用される多段基礎形成型枠は、一般の布基礎を形成する型枠であってもよく、この場合は、第一型枠はフーチング用型枠であり、第二型枠はフーチング用型枠の上に配設される立ち上り部用型枠である。既述するように、「多段基礎」は、ビルドインガレージの開口部の基礎等の二段基礎の他、三段以上の基礎を含み、一般の布基礎に代表される一段基礎も含む。
【００１６】
第一基礎を形成するべく、対向する二つの第一型枠が配設され、これら二つの第一型枠の内側において、第二基礎を形成するべく、対向する二つの第二型枠が配設される。従って、対応する第一型枠と第二型枠からなる一組の型枠に対して、本態様の段積み用パネルが適用される。
【００１７】
本態様の段積み用パネルの断面形状が略コの字状を呈し、その上方水平片が第一型枠の上端に固定され、その下方水平片の先端が第一型枠の側面に当接していることにより、第一型枠と段積み用パネルによって矩形枠状の四面の閉合構造を形成することができる。この閉合構造により、第二型枠を安定的に支持することが可能になる。
【００１８】
また、本態様の段積み用パネルは、打設されたコンクリート等のセメント系材料の内部に埋設されるものでなく、第一型枠や第二型枠と同様にセメント系材料の硬化後に脱型される部材であることから、例えば地中梁の天端位置において水道が形成されるといった課題は生じない。さらに、脱型後の段積み用パネルは他の基礎形成用の段積み用パネルとして転用することができる。
【００１９】
また、本発明による多段基礎形成型枠の段積み用パネルの他の態様は、前記下方水平片の端部が鉛直方向に屈曲してリップを有し、該リップが第一型枠に当接されるようになっていることを特徴とする。
【００２０】
本態様によれば、リップが第一型枠に当接して面接触することにより、第二型枠の上方から鉛直荷重が作用した場合に、上方水平片と第一型枠の上端の固定箇所を支点として段積み用パネルに作用する曲げモーメントに対して、下方水平片（の先端のリップ）を第一型枠の側面にて安定的に支持させることができる。このように鉛直荷重が作用する状況は、例えば、セメント系材料打設時に作業員が第二型枠の上端に載ってセメント系材料の打設を行う等の際に生じ得る。
【００２１】
また、本発明による多段基礎形成型枠の段積み用パネルの他の態様は、前記上方水平片に巾止め金具設置用開口が開設されていることを特徴とする。
【００２２】
本態様によれば、対向する二つの段積み用パネルの双方に開設されている巾止め金具設置用開口に対して巾止め金具を設置することにより、セメント系材料打設時において第二型枠を支持する段積み用パネルが側方に位置ずれすることを抑制でき、寸法精度の良好な多段基礎を施工することができる。
【００２３】
また、本発明による多段基礎形成型枠の段積み用パネルの他の態様は、前記下方水平片において、空気抜き用で、かつセメント系材料充填確認用の多目的孔が開設されていることを特徴とする。
【００２４】
本態様によれば、下方水平片が空気抜き用でかつセメント系材料充填確認用の多目的孔を有していることにより、コンクリートやモルタルといったセメント系材料の打設に応じて適宜空気が抜かれることにより、下方水平片の下面まで十分にセメント系材料を打設することができ、さらに、このことを作業員が確認することができる。また、下方水平片の下面に密着するようにしてセメント系材料が打設されることから、段積み用パネルを脱型すると同時に段部のセメント系材料の表面は平滑に仕上がっており、左官等による段部の表面仕上げは必要なくなる。
【００２５】
また、本発明による多段基礎形成型枠の一態様は、
第一基礎と、該第一基礎よりも幅の狭い第二基礎とが積層してなる多段基礎を形成するための型枠であって、
前記第一基礎用の第一型枠と、
前記第一型枠から平面的に離れた位置にある前記第二基礎用の第二型枠と、
前記段積み用パネルと、を有することを特徴とする。
【００２６】
本態様によれば、本発明による段積み用パネルを有することにより、多段基礎の最上段に位置する立ち上り部の型枠を高い位置精度の下で支持でき、製作費用が高価にならない多段基礎形成型枠を提供することができる。
【００２７】
また、本発明による多段基礎形成型枠の他の態様は、一対の前記第一型枠の内側の上方位置に一対の前記第二型枠が配設され、
対応する前記第一型枠と前記第二型枠を、巾止め金具設置用開口を有する前記段積み用パネルが繋ぎ、
一対の前記段積み用パネルの有する前記巾止め金具設置用開口に巾止め金具が係合されていることを特徴とする。
【００２８】
本態様によれば、対向する二つの段積み用パネルの双方に開設されている巾止め金具設置用開口に対して巾止め金具が設置されることにより、セメント系材料打設時において第二型枠を支持する段積み用パネルが側方に位置ずれすることを抑制でき、寸法精度の良好な多段基礎を施工することができる。
【発明の効果】
【００２９】
以上の説明から理解できるように、本発明の多段基礎形成型枠の段積み用パネルと、この段積み用パネルが適用された多段基礎形成型枠によれば、多段基礎の最上段に位置する立ち上り部の型枠を高い位置精度の下で支持することができ、多段基礎の段差箇所に水道が形成されることを解消でき、型枠の製作費用が高価になることを解消できる。
【図面の簡単な説明】
【００３０】
【図１】ビルドインガレージの基礎を説明する図であって、図１（ａ）は、平面図であり、図１（ｂ）は、図１（ａ）のｂ―ｂ矢視図であり、図１（ｃ）は、図１（ａ）のｃ−ｃ矢視図である。
【図２】第１従来例に係る多段基礎形成型枠の縦断面図である。
【図３】第２従来例に係る多段基礎形成型枠の縦断面図である。
【図４】実施形態に係る多段基礎形成型枠の一例の縦断面図である。
【図５】実施形態に係る段積み用パネルの一例の斜視図である。
【図６】対向する一組の段積み用パネルに対して巾止め金具が取り付けられることを説明する斜視図である。
【図７】多段基礎形成型枠に鉛直荷重が作用した際の段積み用パネルの機能を説明する縦断面図である。
【図８】実施形態に係る多段基礎形成型枠が脱型されて施工された多段基礎の一例の縦断面図である。
【発明を実施するための形態】
【００３１】
以下、本発明の実施形態に係る多段基礎形成型枠と当該型枠に適用される実施形態に係る段積み用パネルについて、添付の図面を参照しながら説明する。尚、本明細書及び図面において、実質的に同一の構成要素については、同一の符号を付することにより重複した説明を省く場合がある。
【００３２】
［実施形態に係る多段基礎形成型枠と段積み用パネル］
図１、図４乃至図７を参照して、実施形態に係る多段基礎形成型枠と段積み用パネルについて説明する。ここで、図４は、実施形態に係る多段基礎形成型枠の一例の縦断面図であり、図５は、実施形態に係る段積み用パネルの一例の斜視図である。また、図６は、対向する一組の段積み用パネルに対して巾止め金具が取り付けられることを説明する斜視図である。尚、図４において、地中梁用鉄筋や立ち上り部用鉄筋等の図示を省略している。
【００３３】
多段基礎形成型枠１００は、図１（ａ）及び図１（ｃ）に示すビルドインガレージの開口部の端部の基礎を形成するための型枠である。多段基礎形成型枠１００は、捨コン等の基盤Ｋ上に載置されるフーチング（第三基礎の一例）形成用の第三型枠３０と、フーチングよりも幅の狭い地中梁（第一基礎の一例）形成用の第一型枠１０と、地中梁よりも幅の狭い立ち上り部（第二基礎の一例）形成用の第二型枠２０とを有する。尚、図示する多段基礎形成型枠１００は、図１（ａ）に示すビルドインガレージの平面視においてその軸線に直交する型枠断面を示しており、例えば開口部の端部（シャッター側）には端部用の閉塞型枠が別途適用される（図示せず）。
【００３４】
図１（ｃ）に示す左右対称の多段基礎（図示例は二段基礎）を形成するべく、第一型枠１０、第二型枠２０、及び第三型枠３０はいずれも鋼製で対向する一対の平板状の型枠により構成される。尚、第一型枠１０、第二型枠２０、及び第三型枠３０がいずれも木製の型枠であってもよいし、いずれか一つもしくは二つの型枠（例えば、第一型枠１０と第三型枠３０）が鋼製であり、残りの型枠（例えば、第二型枠２０）が木製の形態であってもよい。第三型枠３０は基盤Ｋに固定され、第三型枠３０の内側には、樹脂製もしくは鋼製の低背の型枠支持スペーサー４０が同様に基盤Ｋに固定され、型枠支持スペーサー４０の上に第一型枠１０が載置され、固定されている。尚、図示例は二段の多段基礎形成型枠であるが、例えば、フーチング形成用の第三型枠３０と、立ち上り部形成用の第二型枠２０と、により形成される一般の布基礎（一段の基礎）を形成する型枠も本実施形態に係る多段基礎形成型枠に含まれる。さらに、図示例のように左右が多段状である形態の他、右側と左側のいずれか一方のみが多段状であり、他方が段無しである形態の型枠も本実施形態に係る多段基礎形成型枠に含まれる。
【００３５】
第一型枠１０の上端には、その長手方向に直交する断面形状が略コの字状を呈している段積み用パネル５０が固定されている。段積み用パネル５０は、一枚の金属プレートが折り曲げ加工されて形成されており、上方水平片５１と、上方水平片５１の端部が屈曲して鉛直下方に延設する鉛直片５２と、鉛直片５２の端部が屈曲して水平に延設する下方水平片５３と、下方水平片５３の端部が屈曲して鉛直方向に延設するリップ５４とを有している。
【００３６】
図５に示すように、上方水平片５１には、その長手方向に間隔を置いて複数（図示例は三つ）の平面視矩形の巾止め金具設置用開口５５が開設されている。また、下方水平片５３には、単数もしくは複数（図では一つのみ図示）の多目的孔５６が開設されている。この多目的孔５６は、セメント系材料が下方水平片５３に密着するまで十分に充填されていることを、多目的孔５６を介してセメント系材料が上方に吐出されることもって確認するための孔である。多目的孔５６はさらに、セメント系材料の充填に応じて下方水平片５３の下方空間に存在する空気を抜くための孔でもあり、このように複数の目的を有している。
【００３７】
図４に戻り、上方水平片５１の端部が第一型枠１０の上端に載置され、ビスやボルト等の固定手段７０により固定される。上方水平片５１の端部が第一型枠１０の上端に固定された状態において、リップ５４は第一型枠１０の内壁面に当接し、リップ５４の側面と第一型枠１０の内壁面が面接触する。左右一対の第一型枠１０の上端にそれぞれ対応する第一型枠１０が固定された後、図６に示すように、それぞれの対応する巾止め金具設置用開口５５に対して巾止め金具６０がＸ１方向に取り付けられる。
【００３８】
巾止め金具６０は、その両端部において、巾止め金具設置用開口５５の有する幅ｔ１と同幅の差し込み片６１と、上方水平片５１において巾止め金具設置用開口５５から内側の端辺までの幅ｔ２と同幅の係止溝６２とを有している。巾止め金具設置用開口５５に対して巾止め金具６０をＸ１方向に落とし込んだ際に、巾止め金具設置用開口５５に差し込み片６１が差し込まれると同時に、係止溝６２が上方水平片５１の一部に係止されることにより、左右の段積み用パネル５０の有する対応する一対の巾止め金具設置用開口５５に対して巾止め金具６０が取り付けられる。そして、図示例では、左右の三対の巾止め金具設置用開口５５に対してそれぞれ巾止め金具６０が取り付けられる。
【００３９】
図４に戻り、左右の段積み用パネル５０が複数の巾止め金具６０により固定された後、左右の段積み用パネル５０の鉛直片５２に沿うようにして第二型枠２０をそれぞれの上方水平片５１に載置して固定することにより、多段基礎形成型枠１００が構成される。巾止め金具６０によって相互に接続された左右の段積み用パネル５０に対して左右一対の第二型枠２０が固定されることにより、セメント系材料の充填の際に第二型枠２０に作用する側圧によって第二型枠２０の特に脚部が側方に開くことが解消される。
【００４０】
図４より明らかなように、多段基礎形成型枠１００によれば、図３に示す第２従来例のように高背の型枠支持スペーサーを必要としないことから、第２従来例のように型枠の製作費用が高価になる恐れはない。
【００４１】
また、段積み用パネル５０を介して第二型枠２０を第一型枠１０に固定することにより、図２に示す第１従来例のように地中梁用鉄筋等に立ち上り部用型枠を固定する場合に比べて、多段基礎形成型枠１００の最上段に位置する第二型枠２０を第一型枠１０により高い位置精度の下で支持することができる。
【００４２】
さらに、図４に示すように、多段基礎形成型枠１００を用いて多段基礎を施工した際に、左右の段積み用パネル５０を構成する下方水平片５３の下面レベルが地中梁の天端レベルとなり、充填されるセメント系材料内に残置される巾止め金具６０は地中梁の天端レベルよりも上方に位置する。そのため、図２に示す第１従来例のように、巾止め金具が地中梁の天端位置において水道を形成する恐れはない。尚、鉛直片５２の高さを調整することにより、形成される多段基礎における巾止め金具６０の埋設箇所が周辺の地盤（埋め戻し土）レベルよりも上方にくるように設定するのが好ましい。
【００４３】
次に、図７を参照して、多段基礎形成型枠１００に鉛直荷重が作用した際の段積み用パネル５０の機能について説明する。
【００４４】
多段基礎形成型枠１００が組み立てられた後、型枠内にコンクリート等のセメント系材料の充填が行われる。このセメント系材料の充填に際して、例えばポンプ車から延出するホースの先端を持った作業員が第二型枠２０の上端に載り、この載った状態でセメント系材料の充填を行う場合に鉛直荷重Ｐが多段基礎形成型枠１００に作用する。また、バイブレータを持った他の作業員が第二型枠２０の上端に載ってセメント系材料に振動を付与し、セメント系材料の流動性を促進させる場合に鉛直荷重Ｐが作用する。
【００４５】
このように第二型枠２０に鉛直荷重Ｐが作用すると、第二型枠２０を下方から支持する段積み用パネル５０には、第一型枠１０と上方水平片５１の固定手段７０による固定部を支点とする曲げモーメントＭが作用することになる。図７に示すように、第一型枠１０と断面形状が略コの字状の段積み用パネル５０とにより剛性のある矩形枠状の四面の閉合構造が形成されている。従って、この作用する曲げモーメントＭに対して、この閉合構造にて対抗することにより、鉛直荷重Ｐに起因する曲げモーメントＭが作用した場合でも段積み用パネル５０及び多段基礎形成型枠１００の形状保持を図ることができる。
【００４６】
さらに、リップ５４が第一型枠１０に当接して面接触していることにより、曲げモーメントＭが作用した際に、第一型枠１０に面接触しているリップ５４には第一型枠１０から反力ｑが作用し、このことによっても曲げモーメントＭに対する安定した段積み用パネル５の形状保持が図られる。
【００４７】
多段基礎形成型枠１００内にコンクリート等のセメント系材料が充填され、硬化した後、第一型枠１０、第二型枠２０、及び第三型枠３０が脱型され、さらに段積み用パネル５０が脱型されることにより、図８に示すように、フーチング２００と地中梁３００と立ち上り部４００が一体とされた多段基礎５００が施工される。尚、巾止め金具６０の中央側はセメント系材料内に埋設され、巾止め金具設置用開口５５に差し込まれている端部側は埋設されていないが、図６に示すように係止溝６２の領域は水平片のみしか存在せず、上下の鉛直片が存在しないことから他の領域に比べて切断し易くなっている。そのため、段積み用パネル５０の脱型に伴い、巾止め金具６０の当該端部側は係止溝６２の領域を中心に切断されることにより、中央のセメント系材料内に埋設される領域から縁切りされる。
【００４８】
段積み用パネル５０の有する下方水平片５３の下面に密着するようにしてセメント系材料が打設されることから、段積み用パネル５０を脱型すると同時に段部３１０の表面は平滑に仕上がっている。そのため、セメント系材料打設後に左官等による段部の表面仕上げの必要はない。
【００４９】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００５０】
１０：第一型枠（地中梁用型枠）、２０：第二型枠（立ち上り部用型枠）、３０：第三型枠（フーチング用型枠）、４０：低背の型枠支持スペーサー（型枠支持スペーサー）、５０：段積み用パネル、５１：上方水平片、５２：鉛直片、５３：下方水平片、５４：リップ、５５：巾止め金具設置用開口、５６：多目的孔、６０：巾止め金具、７０：固定手段、１００：多段基礎形成型枠、２００：フーチング（第三基礎）、３００：地中梁（第一基礎）、３１０：地中梁表面、４００：立ち上り部（第二基礎）、５００：多段基礎
【図１】
2020051201.tif 000003
【図２】
2020051201.tif 000004
【図３】
2020051201.tif 000005
【図４】
2020051201.tif 000006
【図５】
2020051201.tif 000007
【図６】
2020051201.tif 000008
【図７】
2020051201.tif 000009
【図８】
2020051201.tif 000010